(57)【要約】【課題】より自由な場所で涼感を得ることができ、また第三者にも涼感を与えることができ、またより自由な領域で降温効果が得られる歩行型微細噴霧発生装置を提供する。【解決手段】水が貯留された水タンク（液体貯留部）２と、加圧空気が貯留され、前記水タンク２の水に空気圧を作用させる空気タンク（加圧空気貯留部）３と、前記水タンク２にホース４を介して接続され、前記水を微細霧状に噴出させる噴霧ノズル５と、前記ホース４を開閉する操作バルブ６とを備え、操作者Ｍが携帯して搬送可能に構成された歩行型微細噴霧発生装置１である。【選択図】      図１
2014226566.tif 000002
【特許請求の範囲】
【請求項１】
操作者が携帯して搬送可能に、かつ操作者の身体の一部個所から微細噴霧が噴出している如く見えるように構成された歩行型微細噴霧発生装置。
【請求項２】
請求項１に記載の歩行型微細噴霧発生装置において、
液体が貯留された液体貯留部と、加圧空気が貯留され、前記液体貯留部の液体に空気圧を作用させる加圧空気貯留部と、前記液体貯留部に液体通路を介して接続され、前記液体を微細霧状に噴出させる噴霧ノズルと、前記液体通路を開閉する操作バルブとを備え、操作者が携帯して搬送可能に構成されたことを特徴とする歩行型微細噴霧発生装置。
【請求項３】
請求項２に記載の歩行型微細噴霧発生装置において、
前記液体貯留部と加圧空気貯留部とは別体に構成され、圧力導入路で連結されていることを特徴とする歩行型微細噴霧発生装置。
【請求項４】
請求項２に記載の歩行型微細噴霧発生装置において、
前記液体貯留部と加圧空気貯留部とは一体に構成されていることを特徴とする歩行型微細噴霧発生装置。
【請求項５】
請求項２ないし４の何れかに記載の歩行型微細噴霧発生装置において、
前記液体貯留部及び加圧空気貯留部を操作者の背中に固定する貯留部固定具と、前記噴霧ノズルを操作者の頭部に固定するノズル固定具とを備えたことを特徴とする歩行型微細噴霧発生装置。
【発明の詳細な説明】
【技術分野】
【０００１】
この発明は、操作者が携帯して搬送可能に構成された歩行型微細噴霧発生装置に関する。
【背景技術】
【０００２】
水を微細霧状に噴出させることにより、微細噴霧が気化する際の気化熱で涼感を得る、あるいは噴出領域の気温を下げるようにした微細噴霧発生装置が提案されている。この種の微細噴霧発生装置は、水を加圧ポンプにより高圧に直接加圧して噴出させることにより微細な霧状のミストを発生させるように構成されている（例えば特許文献１参照）。
【先行技術文献】
【特許文献】
【０００３】
【特許文献１】特開２０１２−２４７１０６号公報
【発明の概要】
【発明が解決しようとする課題】
【０００４】
前記従来の微細噴霧発生装置は、例えば建物の入口付近、あるいは降温させたい領域に設置される固定式のものである。従って、当然ながら該噴霧発生装置の設置個所でのみ涼感が得られ、あるいは降温効果が得られるものであり、より自由な場所で涼感あるいは降温効果が得られるものではなかった。
【０００５】
本発明はかかる従来の実情に鑑みてなされたものであり、より自由な場所で涼感を得ることができ、また第三者にも涼感を与えることができ、またより自由な領域で降温効果が得られる歩行型微細噴霧発生装置を提供することを課題としている。
【課題を解決するための手段】
【０００６】
請求項１の発明は、操作者が携帯して搬送可能に、かつ操作者の身体の一部個所から微細噴霧が噴出している如く見えるように構成された歩行型微細噴霧発生装置である。
【０００７】
請求項２の発明は、請求項１に記載の歩行型微細噴霧発生装置において、
液体が貯留された液体貯留部と、加圧空気が貯留され、前記液体貯留部の液体に空気圧を作用させる加圧空気貯留部と、前記液体貯留部に液体通路を介して接続され、前記液体を微細霧状に噴出させる噴霧ノズルと、前記液体通路を開閉する操作バルブとを備え、操作者が携帯して搬送可能に構成されたことを特徴としている。
【０００８】
請求項３の発明は、請求項２に記載の歩行型微細噴霧発生装置において、
前記液体貯留部と加圧空気貯留部とは別体に構成され、圧力導入路で連結されていることを特徴としている。
【０００９】
請求項４の発明は、請求項２に記載の歩行型微細噴霧発生装置において、
前記液体貯留部と加圧空気貯留部とは一体に構成されていることを特徴としている。
【００１０】
請求項５の発明は、請求項２ないし４の何れかに記載の歩行型微細噴霧発生装置において、
前記液体貯留部及び加圧空気貯留部を操作者の背中に固定する貯留部固定具と、前記噴霧ノズルを操作者の頭部に固定するノズル固定具とを備えたことを特徴としている。
【発明の効果】
【００１１】
請求項１の発明によれば、微細噴霧発生装置を操作者が形態して搬送可能としたので、微細噴霧による涼感あるいは降温効果を自由な場所において得ることができ、また操作者だけでなく回りにいる第三者にも涼感を与えることが可能となる。
【００１２】
また操作者の身体の一部から微細噴霧が噴出しているように見えるので、イベント会場等で周囲の人の注意を引くことができる。
【００１３】
請求項２の発明によれば、加圧空気貯留部内の空気の圧力を液体貯留部内の液体に作用させることにより、該液体を噴射ノズルから微細噴霧状に噴出させるようにしたので、操作者が携帯して搬送可能な軽量の微細噴霧発生装置を簡単な構造で実現できる。従来の高圧ポンプで液体を直接加圧して噴出させる方式では、重量が過大となり携帯搬送は困難であり、またこの従来方式では電源が必要であり、場所を自由に移動しつつ微細噴霧を発生することはできない。
【００１４】
また、上述のように、加圧空気貯留部に貯留された加圧空気の圧力を利用すると共に、液体貯留部と噴霧ノズルとを接続する液体通路に操作バルブを設けたので、操作バルブの開閉操作のみで微細噴霧を発生させることができ、従来の手押しポンプ型のような煩わしい操作は不要である。
【００１５】
ここで前記液体貯留部と加圧空気貯留部とは、別体であっても（請求項３）、一体であっても（請求項４）良く、携帯して搬送可能とすることができるが、一体に形成した場合は、装置をより一層軽量コンパクトに構成できる。
【００１６】
請求項５の発明では、液体貯留部及び加圧空気貯留部を操作者の背中に固定する貯留部固定具と、前記噴霧ノズルを操作者の頭部に固定するノズル固定具とを備えたので、微細噴霧発生装置を容易確実に携帯して搬送できるとともに、操作者の身体の一部である頭部から微細噴霧が発生しているように見せることができる。
【図面の簡単な説明】
【００１７】
【図１】本発明の実施例１に係る歩行型微細噴霧発生装置を操作者が背面に背負った状態の背面斜視図である。
【図２】前記歩行型微細噴霧発生装置への給水時の状態を示す全体構成図である。
【図３】前記歩行型微細噴霧発生装置への給気時の状態を示す全体構成図である。
【図４】前記装置の微細噴霧発生時の状態を示す構成図である。
【図５】本発明の実施例２に係る歩行型微細噴霧発生装置への給水時の状態を示す全体構成図である。
【図６】前記実施例２に係る歩行型微細噴霧発生装置への給気時の状態を示す全体構成図である。
【図７】前記実施例２に係る歩行型微細噴霧発生装置の微細噴霧発生時の状態を示す構成図である。
【発明を実施するための形態】
【００１８】
以下、本発明の実施の形態を添付図面に基づいて説明する。
【実施例１】
【００１９】
図１ないし図４は本発明の実施例１に係る歩行型微細噴霧発生装置を説明するための図である。
【００２０】
図において、Ｍは操作者であり、該操作者Ｍは背面に歩行型微細噴霧発生装置１を背負っている。この微細噴霧発生装置１は、操作者Ｍが携帯して搬送可能に、かつ該操作者Ｍの身体の一部個所である頭部Ｍ１から微細噴霧Ｓが噴射している如く見えるように構成されている。
【００２１】
前記歩行型微細噴霧発生装置１は、具体的には、水が貯留された水タンク（液体貯留部）２と、加圧空気が貯留された空気タンク（加圧空気貯留部）３と、前記水タンク２にホース（液体通路）４を介して接続された噴射ノズル５と、前記ホース４の途中に介設された操作バルブ６を備えている。
【００２２】
前記水タンク２は上下端部が閉塞された円筒状のもので、上端部には給水バルブ２ａが接続され、下端部には接続短管２ｂが接続されており、該接続短管２ｂに前記ホース４の下端部４ａが接続されている。
【００２３】
前記空気タンク３は、前記水タンク２と同様の上下端部が閉塞された円筒状のものであり、該空気タンク３の下端部には、該空気タンク３側への流れのみを許容する逆流防止弁タイプの給気バルブ３ａが接続されている。また前記空気タンク３の上端部は圧力ホース（圧力導入路）７で前記水タンク２の上端部に連通するように接続されている。この空気タンク３内の加圧空気の圧力が前記水タンク２内の水面に作用することとなる。
【００２４】
前記水タンク２と空気タンク３とは、ベルト状のタンク固定具（貯留部固定具）８により互いに結合されると共に操作者Ｍの背中に固定可能となっている。これにより操作者Ｍは前記微細噴霧発生装置１を背負ってかつ両手が自由な状態で歩行可能となっている。
【００２５】
また前記噴霧ノズル５はリング状に形成されたリングホース（ノズル固定具）５ａと、該リングホース５ａに間隔を開けて設けられた複数のノズル本体５ｂとを有し、前記リングホース５ａは操作者Ｍが被るヘルメット５ｃに装着されている。
【００２６】
前記リングホース５ａの背面側部分に前記ホース４の上端部４ｂが連通するように接続されている。また前記操作バルブ６は前記ホース４の、操作者Ｍが操作し易い部位に配設されている。
【００２７】
本実施例の微細噴霧発生装置１では、まず操作バルブ６を閉じて水タンク２の給水バルブ２ａに給水ホース９ａを介して水道の蛇口９ｂを接続して水タンク２に給水し、給水バルブ２ａを閉じる。このとき給水量を、水面が空気タンク３との接続点より高くならないように調整する（図２参照）。
【００２８】
続いて、空気タンク３の給気バルブ３ａに給気ホース１０ａを介してコンプレッサ１０ｂを接続して空気タンク３内に加圧空気を所定圧力になるように供給する（図３参照）。
【００２９】
操作者Ｍが前記微細噴霧発生装置１を背面に背負い、噴霧ノズル５が装着されたヘルメット５ｃを被り、自由に歩行しつつ操作バルブ６を開くことにより、前記噴霧ノズル５のノズル本体５ｂから噴霧Ｓが噴出する。この場合、前記噴霧Ｓが操作者Ｍの頭部から噴出している如く見えることとなる（図１，図４参照）。
【００３０】
本実施例１によれば、操作者Ｍが、微細噴霧発生装置１を背負って歩行可能としたので、微細噴霧による涼感、あるいは降温効果を自由な場所においても得ることができ、また操作者Ｍだけでなく回りにいる第三者にも涼感を与えることが可能となる。
【００３１】
また操作者Ｍの身体の一部である頭部Ｍ１から微細噴霧Ｓが噴射されているように見えるので、特にイベント会場等においては周囲の人の注意を引くことができる。
【００３２】
また、空気タンク３内の加圧空気の圧力を水タンク２内の水に作用させることにより、該水を噴射ノズル５から微細噴霧状に噴出させるようにしたので、操作者Ｍが携帯して歩行可能の歩行型微細噴霧発生装置１を実現できる。これに対して、従来の高圧ポンプで液体を直接加圧して噴出させる方式では、重量が過大となり携帯歩行は困難であり、またこの従来方式では電源が必要であり、場所を自由に移動しつつ微細噴霧を発生することはできない。
【００３３】
さらにまた、水タンク２と噴霧ノズル５とを接続するホース４に操作バルブ６を設けたので、操作バルブ６の開閉操作のみで微細噴霧Ｓを発生させることができる。このように、空気タンク３内に貯留された加圧空気の圧力を利用するので、従来の手押しポンプ型のような煩わしい操作は不要である。
【００３４】
また、水タンク２及び空気タンク３を操作者Ｍの背中に固定する貯留部固定具８と、前記噴霧ノズル５を操作者の頭部に固定するノズルホース（ノズル固定具）５ａとを設けたので、微細噴霧発生装置１を容易確実に携帯して搬送できるとともに、操作者Ｍの身体の一部である頭部Ｍ１から微細噴霧Ｓが発生しているように見せることができる。
【実施例２】
【００３５】
前記実施例１では、水タンク（液体貯留部）２と空気タンク（加圧空気貯留部）３とが別体に形成されている場合を説明したが、本発明の前記液体貯留部と加圧空気貯留部とは一体であっても構わない。
【００３６】
図５〜図７は本発明の実施例２に係る歩行型微細噴霧発生装置１′を説明するための図であり図１〜図４と同一符号は同一又は相当部分を示す。
【００３７】
本実施例の２では、タンク１１は水タンクと空気タンクとに兼用されている。タンク１１の上端部には給水バルブ２ａ及び給気バルブ３ａが接続されており、またタンク１１の高さ方向中途部には逃がしバルブ１２が設けれている。給水時に逃がしバルブ１２を開くことにより水面が逃がしバルブ１２の高さに規定される。
【００３８】
本実施例２では、逃がしバルブ１２を開いた状態で給水し、逃がしバルブ１２から排水が始まった時点で給水を停止し、逃がしバルブ１２を閉じる（図５参照）。
【００３９】
続いて給水バルブ２ａを閉じてタンク１１内に、内部圧が所定圧力となるまで給気する。そして前記実施例１と同様に操作者Ｍがこの歩行型微細噴霧発生装置１′を背負って移動しつつ操作バルブ６を開いて自由な位置で微細噴霧Ｓを発生させることができる。
【００４０】
本実施例２では、液体貯留部と空気貯留部とを一体形成したので、装置全体をよりコンパクトに軽く構成でき、操作者Ｍはより自由に移動しつつ微細噴霧を発生できる。
【符号の説明】
【００４１】
１  歩行型微細噴霧発生装置
２  水タンク（液体貯留部）
３  空気タンク（加圧空気貯留部）
４  ホース（液体通路）
５  噴霧ノズル
５ａ  ノズルホース（ノズル固定具）
６  操作バルブ
８  タンク固定具（貯留部固定具）
１１  タンク（一体形成された液体貯留部及び加圧空気貯留部）
Ｍ  操作者
Ｍ１  頭部（操作者の身体の一部）
Ｓ  微細噴霧
【図１】
2014226566.tif 000003
【図２】
2014226566.tif 000004
【図３】
2014226566.tif 000005
【図４】
2014226566.tif 000006
【図５】
2014226566.tif 000007
【図６】
2014226566.tif 000008
【図７】
2014226566.tif 000009
【手続補正書】
【提出日】平成25年6月7日(2013.6.7)
【手続補正１】
【補正対象書類名】図面
【補正対象項目名】図２
【補正方法】変更
【補正の内容】
【図２】
2014226566.tif 000010
【手続補正２】
【補正対象書類名】図面
【補正対象項目名】図３
【補正方法】変更
【補正の内容】
【図３】
2014226566.tif 000011
【手続補正３】
【補正対象書類名】図面
【補正対象項目名】図５
【補正方法】変更
【補正の内容】
【図５】
2014226566.tif 000012
【手続補正４】
【補正対象書類名】図面
【補正対象項目名】図６
【補正方法】変更
【補正の内容】
【図６】
2014226566.tif 000013